(57)【要約】 【課題】  システム設定が効率良く行える監視装置、改札機、および、改札システムを提供する。【解決手段】  実施形態によれば、監視装置は、記憶手段と、受信手段と、登録手段とを有する。記憶手段は、監視対象とする各改札機の固有識別情報にそれぞれの管理番号を割り当てたシステム設定情報を格納したシステム設定ファイルを記憶する。受信手段は、監視対象の各改札機から自機の固有識別情報と自機に設定されている管理番号とを受信する。登録手段は、システム設定ファイルに受信した固有識別情報が存在せず、かつ、受信した管理番号が存在しない場合、受信した固有識別情報に受信した管理番号を割り当てた設定情報をシステム設定ファイルに登録する。【選択図】図２
2014182774.tif 000002
【特許請求の範囲】
【請求項１】
監視対象とする複数の改札機が通信接続される監視装置であって、
監視対象とする各改札機の固有識別情報にそれぞれの管理番号を割り当てたシステム設定情報を格納したシステム設定ファイルを記憶する記憶手段と、
前記監視対象の各改札機から自機の固有識別情報と自機に設定されている管理番号とを受信する受信手段と、
前記システム設定ファイルに前記受信した固有識別情報が存在せず、かつ、前記受信した管理番号が存在しない場合、前記受信した固有識別情報に前記受信した管理番号を割り当てた設定情報を前記システム設定ファイルに登録する登録手段と、
を有する監視装置。
【請求項２】
前記接続処理手段は、前記登録手段により前記システム設定ファイルに登録した固有識別情報の改札機を接続する、
前記請求項１に記載の監視装置。
【請求項３】
さらに、前記システム設定ファイルに前記受信した固有識別情報が存在し、かつ、前記受信した管理番号が存在しない場合、前記システム設定ファイルに対して前記受信した固有識別情報に割り当てる管理番号を前記受信した管理番号に変更する変更手段を有する、
前記請求項１又は２の何れか１項に記載の監視装置。
【請求項４】
さらに、前記システム設定ファイルに前記受信した固有識別情報が存在し、かつ、前記受信した管理番号が存在しない場合、前記システム設定ファイルに対して前記受信した固有識別情報に割り当てる管理番号を前記受信した管理番号に変更する変更手段を有し、
前記接続処理手段は、前記変更手段により管理番号を変更した固有識別情報の改札機を接続する、
前記請求項３に記載の監視装置。
【請求項５】
さらに、前記システム設定ファイルに前記受信した管理番号が存在し、かつ、前記管理番号に対応する固有識別情報が前記受信した固有識別情報と一致しない場合、前記受信した固有識別情報の改札機の接続を拒否する接続拒否手段を有する、
前記請求項１乃至４の何れか１項に記載の監視装置。
【請求項６】
監視装置の監視対象となる改札機であって、
自機の固有識別情報と管理番号とを格納した個別設定ファイルを記憶する記憶部と、
前記監視装置に接続を要求する場合、前記記憶部に記憶した自機の固有識別情報と管理番号とを監視装置へ送信する送信部と、
前記送信部により送信した後に監視装置と接続した場合に通常動作モードへ移行する制御部と、
を有する改札機。
【請求項７】
監視装置の監視対象となる改札機であって、
前記制御部は、通常動作モードとは異なる保守モードにおいて自機の管理番号の変更を受付け、前記記憶部に記憶した管理番号を更新する、
前記請求項６に記載の改札機。
【請求項８】
監視装置と複数の改札機とを通信接続する改札システムであって、
前記監視装置は、
監視対象とする各改札機の固有識別情報にそれぞれの管理番号を割り当てたシステム設定情報を格納したシステム設定ファイルを記憶する記憶手段と、
前記監視対象の各改札機から自機の固有識別情報と自機に設定されている管理番号とを受信する受信手段と、
前記システム設定ファイルに前記受信した固有識別情報が存在せず、かつ、前記受信した管理番号が存在しない場合、前記受信した固有識別情報に前記受信した管理番号を割り当てた設定情報を前記システム設定ファイルに登録する登録手段と、を有し、
前記改札機は、
自機の固有識別情報と管理番号とを格納した個別設定ファイルを記憶する記憶部と、
前記監視装置に接続を要求する場合、前記記憶部に記憶した自機の固有識別情報と管理番号とを監視装置へ送信する送信部と、
前記送信部により送信した後に監視装置と接続した場合に通常動作モードへ移行する制御部と、を有する、
改札システム。
【発明の詳細な説明】
【技術分野】
【０００１】
本発明の実施形態は、監視装置、改札機および改札システムに関する。
【背景技術】
【０００２】
駅務システムにおいては、複数の改札機の動作状態を監視する監視盤がある。監視盤は、各改札機に号機番号を割り当て監視する。監視盤は、各改札機に割り当てた号機番号をシステム設置ファイルに記憶する。監視対象とする改札機の増設する場合、監視盤は、システム設定ファイルを更新する必要がある。従来、改札機を増設する場合、監視盤のシステム設定ファイルを書換えた後、設置後の改札機および監視盤を用いて確認作業を実行する必要がある。また、改札機の開発及び試験環境においては、監視盤に接続する改札機の台数を変更する度に、システム設定ファイルを更新しなければならないという手間がかかる。
【先行技術文献】
【特許文献】
【０００３】
【特許文献１】特開平５−１６０８７０号公報
【発明の概要】
【発明が解決しようとする課題】
【０００４】
本発明は、システム設定を効率良く行える監視装置、改札機、および、改札システムを提供することを目的とする。
【課題を解決するための手段】
【０００５】
実施形態によれば、監視装置は、記憶手段と、受信手段と、登録手段とを有する。記憶手段は、監視対象とする各改札機の固有識別情報にそれぞれの管理番号を割り当てたシステム設定情報を格納したシステム設定ファイルを記憶する。受信手段は、監視対象の各改札機から自機の固有識別情報と自機に設定されている管理番号とを受信する。登録手段は、システム設定ファイルに受信した固有識別情報が存在せず、かつ、受信した管理番号が存在しない場合、受信した固有識別情報に受信した管理番号を割り当てた設定情報をシステム設定ファイルに登録する。
【図面の簡単な説明】
【０００６】
【図１】図１は、実施の形態に係る監視盤および改札機を含む改札システムの全体構成を概略的に示す図である。
【図２】図２は、実施形態に係る監視盤のハードウエア構成例を概略的に示すブロック図である。
【図３】図３は、実施形態に係る改札機のハードウエア構成例を示すブロック図である。
【図４】図４は、本実施形態に係る監視盤の動作例を説明するためのフローチャートである。
【図５】図５は、実施形態に係る監視盤の表示部に表示する新規接続確認画面の表示例である。
【図６】図６は、実施形態に係る監視盤の表示部に表示する接続変更確認画面の表示例である。
【図７】図７は、実施形態に係る監視盤の表示部に表示する接続拒否確認画面の表示例である。
【図８】図８は、本実施形態に係る改札機における起動時の動作例を説明するためのフローチャートである。
【図９】図９は、本実施形態に係る改札機における設定変更処理の動作例を説明するためのフローチャートである。
【発明を実施するための形態】
【０００７】
以下、実施形態について図面を参照して説明する。  
図１は、実施の形態に係る監視盤１および改札機２を含む改札システムの全体構成を概略的に示す図である。  
図１に示す改札システムは、たとえば、鉄道などの交通機関において改札業務を行うためのシステムである。図１に示す例では、改札システムは、監視盤（監視装置）１、および、複数の改札機２（２ａ、２ｂ、２ｃ、…）により構成されている。
【０００８】
監視盤１は、複数の改札機２の動作状態を監視する装置である。  
監視盤１は、監視対象とする複数の改札機２の動作状況を示す案内を表示する。監視盤１は、通信回線を介して監視対象とする複数の改札機２に接続される。つまり、監視盤１は、接続された複数の改札機２を監視対象とする。監視盤１は、監視対象となる各改札機２から動作状況を示す情報を取得し、取得した情報に基づく各改札機２の動作状況を示す案内を表示する機能を有する。また、監視盤１は、係員が入力した制御指示あるいは上位の装置（たとえば、センターサーバ）からの制御指示を各改札機２へ転送する機能を有する。
【０００９】
たとえば、監視盤１は、駅の改札口ごとに設けられ、各改札口に設置された複数の改札機２に接続される。また、監視盤１は、監視対象となる改札機２が設置されている各改札口における係員対応用の窓口内に設置される。各改札口の係員窓口内に居る係員は、監視盤１が表示する各改札機２の動作状況を示す情報によって、改札口に設置されている各改札機２の動作状況を監視する。
【００１０】
また、監視盤１は、監視対象とする各改札機２に対する管理情報としての号機番号を割り当てて、号機番号に対応づけて動作状況を表示したり、集計などのデータ処理を行ったりする。監視盤１は、監視対象となる各改札機に割り当てた号機番号（管理番号）を管理するためのシステム設定ファイルを記憶部に記憶する。本実施形態に係る監視盤１は、各改札機２から取得する設定情報に基づいてシステム全体としての設定内容を示すシステム設定ファイルを更新する機能を有する。
【００１１】
改札機２は、改札業務を行う駅務機器である。  
改札機２は、鉄道の駅構内の改札口などに複数台が並べて設置され、利用者の通行を制御する。たとえば、改札機２は、２台１組で改札用の通路を形成し、改札用の通路を通行する利用者に対して改札処理を行う。改札機２は、通常動作モードにおいて、改札用の通路を通行する利用者が所持する乗車券媒体に記録された情報を読み取り、読み取った情報に基づいて利用者に対する通行（入場あるいは出場）の可否を判定し、その判定結果に基づいて利用者の通行（入場又は出場）を制御する。
【００１２】
また、改札機２は、自機の設定を変更する機能を有する。たとえば、改札機２は、自機の設定を変更するために、係員が操作指示を入力する保守パネルを有する。保守パネルは、たとえば、改札機２の筐体内に設けられ、筐体のカバーを開放した状態で操作される。この場合、改札機２は、保守パネルにより係員が入力する設定変更内容に従って自機の設定情報を生成し、生成した設定情報を自機の設定ファイルとして保存する。
【００１３】
次に、監視盤１の構成について説明する。  
図２は、実施形態に係る監視盤１のハードウエア構成例を概略的に示すブロック図である。  
図２に示す構成例において、監視盤１は、制御部１１、記憶部１２、通信部１３、表示部１４、及び、操作部１５を有する。監視盤１は、制御部１１、記憶部１２および通信部１３を有する制御ユニット１８、および、表示部１４及び操作部１５を有する操作ユニット１９により構成する。監視盤１の制御ユニット１８は、たとえば、インストールしたプログラムをプロセッサが実行することにより各種の処理機能を実現するコンピュータである。監視盤１の操作ユニット１９は、たとえば、タッチパネル付きの表示装置である。
【００１４】
制御部１１は、監視盤１全体の制御を行うものである。制御部１１は、ＣＰＵなどのプロセッサ、ＲＡＭ及びＲＯＭなどのメモリ、および、各種の内部インターフェースなどにより構成される。制御部１１は、プロセッサがメモリに記憶したプログラムを実行することにより様々な処理機能を実現する。
【００１５】
たとえば、制御部１１は、監視対象となる各改札機２から動作状況を示す情報を取得し、各改札機の動作状況を示す案内などを表示部１４に表示する機能を有する。また、制御部１１は、各改札機２から取得する改札機ごとの設定ファイル（自機の設定ファイル）を取得し、監視対象とする複数の改札機２に対する設定情報（システム全体の設定情報）を示すファイル（システム設定ファイル）を更新する機能を有する。
【００１６】
記憶部１２は、書換え可能な不揮発性の記憶装置により構成される。たとえば、記憶部１２は、ハードディスクドライブ（ＨＤＤ）、或いは、ソリッドステートドライブ（ＳＳＤ）などにより構成する。また、記憶部１２は、システム全体の設定情報を格納するシステム設定ファイル１２ａを記憶する。制御部１１は、システム設定ファイル１２ａに格納しているシステム全体の設定情報を更新する。システム設定ファイル１２ａは、当該改札システム内の全改札機（監視対象となる前記改札機）について、ＩＰアドレス、固有ＩＤおよび号機番号を対応づけて記憶する。
【００１７】
通信部１３は、各改札機２と通信するためのインターフェースである。たとえば、通信部１３は、改札機２から固有ＩＤ及び号機番号などを含む個別の設定情報とともに、接続要求を受信する。
【００１８】
表示部１４および操作部１５は、タッチパネル付きの表示装置としての操作ユニット１９により構成される。表示部１４は、たとえば、監視中の各自動改札機の動作状態を示す情報などを表示する。また、操作部１５は、表示部１４の表示領域上に設けたタッチパネルにより構成され、操作部１５としてのタッチパネルは、駅の係員が表示部１４の表示画面に表示されたアイコンの表示部位をタッチすることにより操作指示を入力する。この場合、表示部１４は、各種の案内とともに、タッチパネルにて選択可能なボタンとしてのアイコンを表示する。
【００１９】
次に、改札機２の構成について説明する。  
図３は、改札機２のハードウエア構成例を示すブロック図である。  
図３に示す構成例において、改札機２は、制御部２１、通信部２２、カードリーダライタ（ＲＷ）２３、メモリ２４、表示部２５、保守パネル２６、および、通行制御部２７などを有する。
【００２０】
制御部２１は、改札機２全体の制御を司るものである。制御部２１は、ＣＰＵなどのプロセッサ、ＲＡＭ及びＲＯＭなどのメモリ、および、各種の内部インターフェースなどにより構成される。制御部２１は、プロセッサがメモリに記憶したプログラムを実行することにより様々な処理機能を実現する。
【００２１】
たとえば、制御部２１は、自機の設定ファイルを更新する機能、監視盤１に接続を要求する機能、監視盤１に自機の設定情報（固有ＩＤ及び号機番号）を監視盤１に通知する機能、監視盤１に動作状況を示す情報を送信する機能、利用者に対する通行判定を行う通行判定機能などを有する。通信部２２は、制御部２１の制御に従って監視盤１との通信を行うためのインターフェースである。
【００２２】
カードＲＷ２３は、利用者が所持する乗車券媒体に対して情報の読取及び書込みを行うユニットである。たとえば、カードＲＷ２３は、利用者が所持する乗車券媒体から通行の可否を判定するための情報を読み取る。カードＲＷ２３は、制御部２１からの動作指示に基づいて乗車券媒体として用いられる非接触ＩＣカードと非接触通信し、乗車券媒体としての非接触ＩＣカードから情報を読み取ったり、情報を書き込んだりする。また、改札機２は、乗車券媒体としての磁気券を処理する磁気券処理部を有するものであっても良い。磁気券処理部としては、例えば、利用者が投入口に投入する磁気券を取り込んで搬送し、搬送中の磁気券から情報を読み取ったり、情報を書き込んだりする。
【００２３】
記憶部２４は、書換え可能な不揮発性のメモリである。記憶部２４は、通行の可否を判定するための情報を格納するテーブル（例えば、運賃テーブルなど）、および、当該改札機自身（自機）の設定情報を格納する設定ファイル２４ａを記憶する。設定ファイル（自機の設定ファイル）２４ａは、監視盤１のＩＰアドレス、自機のＩＰアドレス、自機の固有ＩＤ（固有識別情報）、および、自機に設定されている号機番号（管理番号）などの自機の設定情報を格納する。
【００２４】
表示部２５は、利用者への案内などを表示する表示装置などから構成される。たとえば、表示部２５は、通常動作モードにおいて、通行する利用者に対して通行の可否を案内する案内画面などを表示する。保守パネル２６は、設定情報などを直接入力する操作部である。保守パネル２６は、係員が直接的に改札機２に情報を入力するための操作パネルである。保守パネル２６は、たとえば、改札機２の筐体内に設けられ、改札機２が保守モードである場合に入力を受付ける。通行制御部２７は、利用者の通行を制御するものである。通行制御部２７は、例えば、利用者の通行を阻止するドアの開閉を制御するドア開閉機構などにより構成される。
【００２５】
次に、本実施形態に係る監視盤１における動作について説明する。  
本実施形態に係る監視盤１は、各改札機２の動作状況を示す情報を表示したり、各改札機から収集したデータを処理したりする機能の他に、各改札機２から自機の設定情報（固有ＩＤ及び号機番号）を受信し、改札機２から受信した設定情報に基づいてシステム全体の設定内容を示すシステム設定ファイル１２ａを更新する機能を有する。
【００２６】
図４は、本実施形態に係る監視盤１におけるシステム設定ファイルの更新に関する動作例を説明するためのフローチャートである。  
監視盤１の制御部１１は、各改札機２からの接続要求を受け付ける。各改札機２は、監視盤１に接続する場合、接続要求とともに自機の固有ＩＤと自機に設定されている号機番号とを含む自機の設定情報を監視盤１に送信する。ある改札機２からの接続要求を受信する場合（ステップＳ１１、ＹＥＳ）、監視盤１の制御部１１は、接続要求元の改札機２から固有ＩＤと号機番号とを含む設定情報を受信する（ステップＳ１２）。改札機２から設定情報を受信すると、制御部１１は、改札機２の固有ＩＤがシステム設定ファイル１２ａに登録（設定）済みか否かを判断する（ステップＳ１３）。
【００２７】
受信した改札機２の固有ＩＤがシステム設定ファイル１２ａに登録されていないと判断した場合（ステップＳ１３、ＮＯ）、制御部１１は、受信した号機番号がシステム設定ファイル１２ａにおいて未使用であるか否かを判断する（ステップＳ１４）。受信した号機番号が未使用であると判断した場合（ステップＳ１４、ＹＥＳ）、制御部１１は、接続要求元の改札機が新規接続であると判断し、新規接続確認画面を表示部１４に表示する（ステップＳ１５）。新規接続確認画面は、接続要求元の改札機２を当該改札システムに新規登録しても良いかを係員に確認するための画面である。
【００２８】
図５は、新規接続確認画面の表示例である。図５に示す表示例において、表示部１４は、接続確認のメッセージとともに、接続要求元の改札機の固有ＩＤと当該改札機に設定されている号機番号とを表示する。さらに、図５に示す表示例において、表示部１４は、操作部１５としてのタッチパネルで選択可能な「はい」アイコンと「いいえ」アイコンとを表示する。係員は、当該改札機の接続及び登録を許可する場合には「はい」アイコンを選択し、当該改札機の接続及び登録を許可しない場合には「いいえ」アイコンを選択する。
【００２９】
すなわち、制御部１１は、係員の指示に従って当該改札機の接続及び登録を許可するか否かを判断する（ステップＳ１６）。当該改札機の接続及び登録を許可すると判断した場合（ステップＳ１６、ＹＥＳ）、制御部１１は、システム設定ファイル１２ａに受信した接続要求元の改札機の固有ＩＤと当該改札機に設定されている号機番号と対応づけて新規登録する（ステップＳ１７）。システム設定ファイル１２ａへの新規登録が完了すると、制御部１１は、当該改札機との接続を行う（ステップＳ１８）。また、当該改札機の接続及び登録を許可しないと判断した場合（ステップＳ１６、ＮＯ）、制御部１１は、システム設定ファイル１２ａを更新することなく、接続要求元の改札機との接続を拒否する（ステップＳ１９）。
【００３０】
また、受信した改札機の固有ＩＤがシステム設定ファイル１２ａに登録されていると判断した場合（ステップＳ１３、ＹＥＳ）、制御部１１は、システム設定ファイル１２ａにおける当該固有ＩＤに割り当てられている号機番号が受信した号機番号と一致するか否かを判断する（ステップＳ２０）。つまり、ステップＳ２０において、制御部１１は、受信した固有ＩＤと号機番号との組合せがシステム設定ファイル１２ａに登録済みか否かを判断している。
【００３１】
改札機から受信した固有ＩＤと号機番号との組合せがシステム設定ファイル１２ａに登録済みであると判断した場合（ステップＳ２０、ＹＥＳ）、制御部１１は、接続要求元の改札機がシステム設定ファイル１２ａに登録済みの改札機であると判断し、システム設定ファイル１２ａを更新することなく、接続要求元の改札機との接続する（ステップＳ１８）。
【００３２】
また、改札機から受信した固有ＩＤは設定済みであるが、改札機から受信した固有ＩＤと号機番号との組合せがシステム設定ファイル１２ａに登録されていないと判断した場合（ステップＳ２０、ＮＯ）、制御部１１は、接続要求元の改札機が接続設定の変更が必要であると判断する。この場合、制御部１１は、受信した号機番号がシステム設定ファイル１２ａにおいて未使用であるか否かを確認する（ステップＳ２１）。受信した号機番号が未使用であると判断した場合（ステップＳ２１、ＹＥＳ）、制御部１１は、接続変更確認画面を表示部１４に表示する（ステップＳ２２）。接続変更確認画面は、接続要求元の改札機２を当該改札システムに新規登録しても良いかを係員に確認するための画面である。
【００３３】
図６は、接続変更確認画面の表示例である。図６に示す表示例において、表示部１４は、接続確認のメッセージとともに、接続要求元の改札機の固有ＩＤに対する現在の設定と、受信した当該改札機に設定されている号機番号（変更先の号機番号）を示す変更後の設定とを表示する。さらに、図６に示す表示例において、表示部１４は、操作部１５としてのタッチパネルで選択可能な「はい」アイコンと「いいえ」アイコンとを表示する。係員は、当該改札機の接続及び登録（変更）を許可する場合には「はい」アイコンを選択し、当該改札機の接続及び登録（変更）を許可しない場合には「いいえ」アイコンを選択する。
【００３４】
制御部１１は、操作部１５に入力される係員の指示に従って当該改札機の接続及び登録（変更）を許可するか否かを判断する（ステップＳ２３）。当該改札機の接続及び登録（変更）を許可すると判断した場合（ステップＳ２３、ＹＥＳ）、制御部１１は、システム設定ファイル１２ａを変更後の設定内容に変更（更新）する（ステップＳ２４）。たとえば、図６に示す例では、固有ＩＤ「ａｂｃｄｅ」の改札機を３号機から４号機に変更することが要望されている。この場合、制御部１１は、システム設定ファイル１２ａにおいて固有ＩＤ「ａｂｃｄｅ」に割り当てた号機番号を３号機から４号機に変更する。
【００３５】
システム設定ファイル１２ａに対する変更が完了すると、制御部１１は、当該改札機との接続を行う（ステップＳ１８）。また、当該改札機の接続及び登録（変更）を許可しないと判断した場合（ステップＳ２３、ＮＯ）、制御部１１は、システム設定ファイル１２ａを更新することなく、接続要求元の改札機との接続を拒否する（ステップＳ１９）。
【００３６】
また、受信した号機番号が未使用であると判断した場合（ステップＳ１４、ＹＥＳ、又はステップＳ２１、ＮＯ）、制御部１１は、接続要求元の改札機から受信した号機番号が当該システムにおいて使用中の号機番号であると判断する。この場合、号機番号の重複設定などを避けるため、制御部１１は、接続要求元の改札機に対する接続を拒否するものと判断する。
【００３７】
接続要求元の改札機に対する接続を拒否するものと判断した場合、制御部１１は、表示部１４に接続拒否確認画面を表示し（ステップＳ２５）、接続要求元の改札機との接続を拒否する（ステップＳ１９）。接続拒否確認画面は、接続要求元の改札機に設定されている号機番号が使用中であるため、接続が拒否される旨を案内するための画面である。
【００３８】
図７は、接続拒否確認画面の表示例である。図７に示す表示例において、表示部１４は、接続拒否のメッセージとともに、接続要求元の改札機から受信した号機番号に設定されている改札機の固有ＩＤを示す現在の設定と、受信した固有ＩＤと号機番号とを示す接続要求内容とを表示する。さらに、図７に示す表示例において、表示部１４は、操作部１５としてのタッチパネルで選択可能な「確認」アイコンを表示する。係員は、接続拒否確認画面において表示された内容を確認した後に「確認」アイコンを入力する。
【００３９】
上記の処理によって、本実施形態に係る監視盤は、監視対象となる各改札機から取得する設定情報に基づいて改札システム全体の設定内容を示すシステム設定ファイルを更新する。これにより、本実施形態に係る監視盤によれば、改札機の設置台数の増減などに応じたシステム設定の変更を半自動で実施できる。
【００４０】
なお、改札システムにおける改札機を撤去する場合、監視盤１は、係員による操作によって撤去する改札機に関する設定情報をシステム設定ファイル１２ａから削除するようにしても良い。たとえば、監視盤１の制御部１１は、改札機２の登録解除を行う操作画面を表示部１４に表示し、係員による登録解除の指示を受付ける。係員が改札機の登録解除を指示すると、制御部１１は、係員に登録解錠が指示された改札機に関する設定情報をシステム設定ファイル１２ａから削除する。このような動作によれば、本実施形態に係る改札システムは、改札機の削除にも対応可能となる。
【００４１】
次に、本実施形態に係る改札機２における動作について説明する。  
本実施形態に係る改札機２は、起動する場合（電源がオンされた場合、あるいは、再起動された場合）、監視盤１に対して、接続要求とともに自機の設定情報（自機の固有ＩＤ及び自機に設定されている号機番号）を送信する。この接続要求に対して監視盤１が接続を許可すれば、改札機２は、監視盤１と接続して通常動作モードで動作する。
【００４２】
また、改札機２は、係員の操作によって任意のタイミングで動作モードを保守モードに切り替え、保守モードにおいて自機に対する号機番号の設定などが係員により入力される。改札機２は、係員により入力される号機番号の設定に従って、自機の設定ファイルにける自機の設定情報としての自機に設定されている号機番号を更新する。
【００４３】
図８は、本実施形態に係る改札機２における起動時（電源オン或いは再起動時）の動作例を説明するためのフローチャートである。  
改札機２の制御部２１は、起動する場合（当該改札機２の電源をオンする場合、あるいは、当該改札機２を再起動する場合）（ステップＳ４１、ＹＥＳ）、記憶部２４から自機の設定ファイル２４ａを読込む（ステップＳ４２）。自機の設定ファイル２４ａは、監視盤１のＩＰアドレス、自機の固有ＩＤ、および、自機に設定されている号機番号を含む設定情報を格納したファイルであって、記憶部２４に記憶される情報である。
【００４４】
自機の設定ファイル２４ａを読込むと、制御部２１は、監視盤１のＩＰアドレスを指定して、設定ファイルに含まれる自機の固有ＩＤと自機に設定されている号機番号とを接続要求とともに監視盤１へ送信する（ステップＳ４３）。接続要求を送信した後、制御部２１は、監視盤１からの接続の可否を示す情報などの応答待ちとなる。
【００４５】
監視盤１から接続許可する旨の応答を受信すると、制御部２１は、監視盤１と接続し、通常動作モードでの動作を開始する（ステップＳ４５）。また、監視盤１から接続を拒否する旨の応答を受信すると、制御部２１は、当該改札機２を停止（あるいは保守モード）とする（ステップＳ４６）。監視盤１から接続が拒否された改札機２は、係員の操作によって設定情報を更新した後、再度、監視盤１への接続を試みるようにしても良い。
【００４６】
図９は、本実施形態に係る改札機２における設定変更処理の動作例を説明するためのフローチャートである。  
たとえば、改札機２は、保守モードの状態において係員による設定変更の入力を受付けるものとする。また、改札機２は、特定の操作によって保守モードへ移行する。ここでは、改札機２の筐体を覆うカバーを開放した場合あるいは筐体を覆うカバーのロックを解除した場合、改札機２の制御部２１は、動作モードを保守モードへ移行させるものとする。
【００４７】
保守モードへの移行を指示する操作が行われた場合（ステップＳ５１、ＹＥＳ）、改札機２の制御部２１は、動作モードを保守モードに移行させる（ステップＳ５２）。動作モードが保守モードに移行すると、制御部２１は、保守パネル２６による設定変更の入力を受付ける（ステップＳ５３）。また、設定変更は、改札機２に接続する外部機器から入力するようにしても良い。
【００４８】
保守パネル２６により設定変更が入力されると（ステップＳ５３、ＹＥＳ）、制御部２１は、入力された設定変更内容に応じて記憶部２４に記憶している自機の設定ファイル２４ａを更新する（ステップＳ５４）。たとえば、自機に設定する号機番号の変更指示が入力された場合、制御部２１は、記憶部２４に記憶している自機の設定ファイル２４ａにおける号機番号を更新する。また、保守モードの終了が指示された場合（ステップＳ５５、ＹＥＳ）、制御部２１は、設定内容を有効にするため、当該改札機２を再起動するか否かを判断する（ステップＳ５６）。当該改札機２を再起動すると判断した場合（ステップＳ５６、ＹＥＳ）、制御部２１は、当該改札機２の再起動を実行する（ステップＳ５７）。再起動を実行すると、制御部２１は、図８に示す処理手順に移行し、保守モードで変更したシステム設定ファイルによる監視盤１との接続を試みる。
【００４９】
たとえば、保守モードで変更した設定を反映して通常モードへ移行することが指示された場合、制御部２１は、保守モードを終了し、改札機２を再起動することにより通常モードへ移行する処理を行う。この場合、制御部２１は、再起動に伴って、図８に示す処理手順を実行し、保守モードで変更した自機の設定ファイルによる監視盤１との接続処理を行う。この接続処理によって監視盤１との接続が許可されれば、制御部２１は、改札機２を変更後の設定の通常モードで動作させる。
【００５０】
上記のように、本実施形態に係る改札システムは、改札機が起動時に自機の固有ＩＤ及び自機に設定されている号機番号を監視盤へ送信し、監視盤が改札機から受信する設定情報（固有ＩＤ及び号機番号）に基づいてシステム全体の設定内容を示すシステム設定ファイルを更新（登録および変更）する。
【００５１】
たとえば、改札機の設定変更がない場合（設置台数の増減なし、号機番号の設定変更なしの場合）、改札機は、起動時に自機の設定ファイルに格納されている固有ＩＤおよび号機番号を接続要求とともに監視盤へ送信する。監視盤は、改札機から受信する固有ＩＤと号機番号との組合せがシステム設定ファイルに登録済みであるか否かを判断する。監視盤は、システム設定ファイルに登録済みであれば、改札機の増減および設定変更がないと判断し、当該改札機との接続を行う。
【００５２】
また、改札機を増設する場合、増設される改札機は、現地へ出荷時までに、予め設置する改札システムを想定して生成した自機の設定ファイルを記憶しておく。たとえば、設置（増設）される改札機は、現地へ出荷する前にメーカにおいて、設置（増設）する改札システムを想定した設定情報を格納した設定ファイルを記憶部に記憶しておく。実際に設置された改札機は、自機の設定ファイルに格納されている固有ＩＤおよび号機番号を接続要求とともに監視盤へ送信する。増設である場合（新規登録である場合）、監視盤のシステム設定ファイルには、改札機から受信する固有ＩＤ及び号機番号が存在しない。
【００５３】
監視盤は、改札機から受信した固有ＩＤがシステム設定ファイルに存在しない場合、受信する号機番号がシステム設定ファイルに存在しなければ（号機番号が登録済みでない事が確認できれば）、受信した固有ＩＤ及び号機番号の改札機の新規登録を確認（報知）する新規接続確認画面を表示部に表示する。新規接続確認画面を表示した後に係員が接続（新規登録）を許可する入力を行うと、監視盤は、受信した固有ＩＤに受信した号機番号を割り当てた新たな設定情報をシステム設定ファイルに登録し、当該改札機と接続する。
【００５４】
また、号機番号を変更する改札機は、係員が保守パネルにより入力した変更内容に従って改札機自身の記憶部に記憶している自機の設定ファイルを更新する。設定ファイルを変更した後の起動時に、改札機は、自機の設定ファイルに格納されている固有ＩＤおよび号機番号を接続要求とともに監視盤へ送信する。監視盤は、改札機の号機番号の変更である場合、改札機から受信する固有ＩＤがシステム設定ファイルに存在することを確認し、受信した号機番号がシステム設定ファイルに存在するか否かを判断する。
【００５５】
改札機から受信した号機番号がシステム設定ファイルに存在しなければ（号機番号が登録済みでない事が確認できれば）、監視盤は、受信した固有ＩＤの改札機に割り当てる号機番号を変更する旨を案内(確認）する接続変更確認画面を表示部に表示する。接続変更確認画面を表示した後に係員が接続（変更）を許可する入力を行うと、監視盤は、受信した固有ＩＤに割り当てる号機番号を受信した号機番号に変更した新たな設定情報でシステム設定ファイルを更新し、当該改札機と接続する。
【００５６】
上記のように、本実施形態に係る監視盤、改札機および改札システムによれば、監視盤の設定ファイルを直接的に変更した場合に必要となるような確認作業が削減できる。また、実際の改札機に直接的に設定変更を入力するため、確実な設定作業が行える。また、開発および試験環境のような頻繁に設定を変更する場合であっても、簡単かつ確実な設定操作によってシステム全体の設定変更が半自動的に実施できる。さらには、改札機を設置する前に、設置環境を想定した設定情報の設定ファイルを予め改札機に記憶しておくことにより、設置後のシステム設定作業などが軽減できる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１…監視盤（監視装置）、２…改札機、１１…制御部、１２…記憶部、１２ａ…システム設定ファイル、１３…通信部、１４…表示部、１５…操作部、２１…制御部、２２…通信部、２３…カードリーダライタ（ＲＷ）、２４…記憶部、２４ａ…設定ファイル、２５…表示部、２６…保守パネル、２７…通行制御部。
【図１】
2014182774.tif 000003
【図２】
2014182774.tif 000004
【図３】
2014182774.tif 000005
【図４】
2014182774.tif 000006
【図５】
2014182774.tif 000007
【図６】
2014182774.tif 000008
【図７】
2014182774.tif 000009
【図８】
2014182774.tif 000010
【図９】
2014182774.tif 000011